(57)【要約】【課題】  従来、モータのコネクタ部分の防滴構造として、コネクタをモータの下方向に配置していた。しかし、モータ取付機器側のコネクタがモータの上方にある場合、リード線の引き回しが長くなるという問題があった。【解決手段】  機器接続用のリード線をコネクタにより接続するモータにおいて、前記リード線側コネクタをモータ側コネクタに接続後、リード線を折り曲げ、連接する２面が解放された防滴カバーを前記コネクタ及びリード線が収納されるように取り付ける。【選択図】  図１
2010220430.tif 000002
【特許請求の範囲】
【請求項１】
機器接続用のリード線をコネクタにより接続するモータにおいて、
前記リード線側コネクタをモータ側コネクタに接続後、リード線を折り曲げ、連接する２面が開放された防滴カバーを前記コネクタ及びリード線が収納されるように取り付けたことを特徴とするモータ。
【請求項２】
前記防滴カバーの１面は半開放とし、前記リード線は山谷状に折り曲げられ、前記半開放面からリード線が導出されることを特徴とする請求項１記載のモータ。
【請求項３】
前記モータは固定子を樹脂で覆ったモールドモータである請求項１或いは２記載のモータ。
【請求項４】
前記モータフレームに防滴カバー取付溝を形成し、前記防滴カバーを該取付溝に取り付けたことを特徴とする請求項１乃至３記載のモータ。
【発明の詳細な説明】
【技術分野】
【０００１】
本発明はモータのコネクタ周りの防滴構造に関するものである。
【背景技術】
【０００２】
固定子を樹脂で一体にモールドし、フレームを形成したモールドモータにおいて、コネクタ周りに防滴カバーを取り付けた構成は従来から知られている。（特許文献１参照）
【０００３】
また、固定子を樹脂で一体にモールドし、フレームを形成したモールドモータにおいて、リード線を樹脂フレーム中にインサートして外部へ引き出した構成は従来より知られている。（特許文献２参照）
【先行技術文献】
【特許文献】
【０００４】
【特許文献１】特開平06-327181
【特許文献２】特開平03-218239
【発明の概要】
【発明が解決しようとする課題】
【０００５】
従来、エアコン用の室外機など結露が発生しやすい場所で使うモータで、モータにコネクタを取り付けるタイプの場合、コネクタが外部に露出しているため水滴や埃がかかりやすく、コネクタの端子が漏電する可能性がある。そのため、特許文献１のようにモータを機器に取り付ける場合、コネクタ部分を下方に向けることでモータ本体が上方からの水滴を防ぎ、外側にカバーを設けることで横方向からの水滴を防ぐことで、コネクタの防滴構造としている。
【０００６】
しかしながら、特許文献１の構成は、コネクタが下方に取り付けられているため、リード線の機器取付側がモータより上方にある場合、リード線の引き回しが長くなるという問題がある。特許文献１の構成のモータのコネクタ側を上方に向けた場合、上方にはカバーが設けられていないため防滴構造としては意味をなさない。
【０００７】
また、モータに直接取り付けるカバーとは別に、モータを取り付けるモータ取付台から防水壁を設けて防滴構造を設ける方法があるが、防水壁を新たに設けなければならず、また、防水壁にあるところにモータを設置する必要があるため、モータ設置のレイアウトの自由度が低くなる問題がある。
【０００８】
また、特許文献２の構成のようにリード線を樹脂フレーム中にインサートして外部へ引き出す構成の場合、コネクタ端子が露出していないため水滴がかかることによる漏電の問題は無いが、リード線をフレーム中にインサートしているためリード線を傷付けてしまう問題がある。特に樹脂で固定子を覆ってフレームを形成するモールドモータの場合、成形時の熱でリード線に傷がつきやすい。
【０００９】
本発明は、上記従来の問題を鑑みて、リード線をコネクタで接続するモータの防滴構造において、リード線の取り回しの短い構造を提供するものである。
【課題を解決するための手段】
【００１０】
請求項１の発明は、機器接続用のリード線をコネクタにより接続するモータにおいて、前記リード線側コネクタをモータ側コネクタに接続後、リード線を折り曲げ、連接する２面が開放された防滴カバーを前記コネクタ及びリード線が収納されるように取り付けたことを特徴とするモータを提供する。
【００１１】
請求項２の発明は、前記防滴カバーの１面は半開放とし、前記リード線は山谷状に折り曲げられ、前記半開放面からリード線が導出されることを特徴とする請求項１記載のモータを提供する。
【００１２】
請求項３の発明は、前記モータは固定子を樹脂で覆ったモールドモータである請求項１或いは２記載のモータを提供する。
【００１３】
請求項４の発明は、前記モータフレームに防滴カバー取付口を形成し、前記防滴カバーを該取付口に取り付けたことを特徴とする請求項１乃至３記載のモータを提供する。
【発明の効果】
【００１４】
本発明のモータであると、リード線をコネクタで接続する方法のモータにおいて、コネクタ周りの防滴を図ることができると同時に、リード線の取り回しを短くすることができる。また、モータにカバーを取り付ける方法であるため、取付台に防滴構造を設ける必要がないため部材費が低減できると共に、取付台の防滴構造によらずにモータを配置できるためレイアウトの自由度が高い設計ができる。
【図面の簡単な説明】
【００１５】
【図１】本発明の実施例１のモータの断面図である。
【図２】本発明の実施例１のモータの正面図である。
【図３】本発明の実施例１の防滴カバーの取り付け前を示した図である。
【図４】本発明の実施例１の防滴カバーの取り付け後を示した図である。
【図５】本発明の実施例２のモータの断面図である。
【図６】本発明の実施例２のモータの正面図である。
【図７】本発明の実施例２の防滴カバーの取り付け前を示した図である。
【図８】本発明の実施例２の防滴カバーの取り付け後を示した図である。
【発明を実施するための形態】
【００１６】
以下、図１〜８を用いて、本発明の実施の形態について詳細に説明する。
【００１７】
図１より、本発明のモータ１は、抜き板を積層した鉄心２に巻線３を巻装した固定子４を、モールド樹脂で覆って、モータフレーム５と一体に形成したものである。また、ブラシレスモータ等の制御基板を必要とするモータでは、制御基板も樹脂で覆われている。制御基板からはフレーム外へとリード線６が延びている。
【００１８】
本発明のモータは、固定子をモールド樹脂で覆ってフレームと一体に形成したモールドモータを例に説明するが、フレームが鋼板性のモータに対して本発明の防滴カバーを用いても良い。また、ＡＣモータなど制御基板を必要としないモータについては、固定子の端末線から直接リード線が延びるようにしても良い。
【実施例１】
【００１９】
図１，２より、本発明のモータ１の側面にはコネクタ７ａの一部がモータフレーム５に埋設され、リード線６が圧着等で取り付けられている。一方、機器（図示せず）からのリード線８の先端にはコネクタ７ｂが圧着等で取り付けられている。この両コネクタが接続されることにより、機器とモータ１が電気的に接続することになる。
【００２０】
本発明の防滴カバー９ａは箱型の形状で、連接する２面が開放した形状となっている。本発明の防滴カバー９ａの材質としては、絶縁性、防滴性、生産性からプラスチックなどの合成樹脂材が適している。一方、図３より、前記コネクタ７ａの周りにはコの字形状のカバー取付溝１０がモータフレーム５に形成されている。
【００２１】
図３，４を用いて本発明の取付に関する説明をする。まず、本発明のコネクタ７ｂのリード線８をクランク状に折り曲げる。そして、コネクタ７ｂを覆うように前記防滴カバー９ａをカバー取付溝１０に嵌合する。そして、前記リード線８は防滴カバー９ａの開放口１１ａから導出される。
【００２２】
上記のような防滴構造は従来の構成よりも安価なものであり、また、モータにカバーを取り付ける構造であるため、モータ取付台に防滴構造を設ける必要がないため、取付台の防滴構造によらずにモータを配置できるためレイアウトの自由度が高い設計ができる。
【実施例２】
【００２３】
図７，８より、実施例２の防滴カバー９ｂは開放する２面のうち１面が半開放としている。そして、リード線８を山谷折りにしてから、コネクタ７ｂを覆うように防滴カバー９ｂを全開放面を底面にしてカバー取付溝１０に取り付ける。そして、リード線８はカバー口１１ｂから導出される。
【００２４】
実施例２のような構造であると、防滴カバーの側面が半開放としているので、側面から水滴が浸入しにくくなる。また、リード線が山谷折りにして収納されているため、リード線を伝わって水が浸入してきても谷の部分で水滴が落ちるので、コネクタの根元に水がかかることがなくなる。よって、より防水性の優れた構造となる。
【実施例３】
【００２５】
上記構成の防滴カバーの取り付け方法として、カバー取付溝１０にカバー９を嵌合しているが、カバー取付溝１０に接着剤を塗布して取り付ければ、防滴カバー９が確実に固着されることとなる。
【産業上の利用可能性】
【００２６】
本発明の防滴カバーを用いたモータであれば、空調機の室外機や洗濯機、あるいはポンプなど水気の多い場所での使用において、有効なものである。
【符号の説明】
【００２７】
１    モータ
２    鉄心
３    巻線
４    固定子
５    モータフレーム
６、８    リード線
７    コネクタ
９    防滴カバー
１０    カバー取付溝
【図１】
2010220430.tif 000003
【図２】
2010220430.tif 000004
【図３】
2010220430.tif 000005
【図４】
2010220430.tif 000006
【図５】
2010220430.tif 000007
【図６】
2010220430.tif 000008
【図７】
2010220430.tif 000009
【図８】
2010220430.tif 000010